(57)【要約】【課題】  浴槽の清掃具にあっては、浴槽の清掃に際して、清掃具の作業性能を良くし、  、人体にかかる負担をできるだけ少なくし、清掃作業の効果をあげることであり、更に清掃具の消耗を少なくし、その寿命を含め全体としてのコストを押さえること。【解決手段】当発明の浴槽の清掃具にあつては、弾性体の弾力を利用し、清掃ヘッドが柄に対して、約１８０°の範囲内で制御され、揺動を抑制された回転ができ、浴槽の角度の異なった多くの被清掃面に対し、体を大きく動かすこともなく、容易に対応し密着して清掃作業をすることができ、また、必要な際は被清掃面に大きい力を加えることもできる。更に、清掃体の先端の向きを変えることができることにより，清掃体の片減りを押さえ、その寿命を延ばすことができる。【選択図】図２
2016198458.tif 000002
【特許請求の範囲】
【請求項１】
清掃ヘッドの基盤の上面に接続部を介して柄を取り付け、基盤の下面には清掃体を取り付けた浴槽の清掃具であって、
清掃ヘッドの基盤の上面の中央部に、柄の長手方向に向かって、垂直で平行に２枚の同形の支持板を設け清掃ヘッドと柄の接続部とし、さらに、その双方の支持板の側面の中央部に、基盤の上面を基準とした正方形の窓を設け、双方の窓に正方形で板状の弾性体をはめ、その２枚の弾性体の間に、扁平で円形の柄の先端を挟み、双方の弾性体の側面の中央と、扁平で円形の柄の先端の円心を貫通した穴をあけ、ボルトを通し支軸とし、蝶ナットを取り付け、清掃ヘッドと柄を接続した浴槽の清掃具。
【請求項２】
前記に記載の浴槽の清掃具にあって、清掃ヘッドの基盤の上面に設けられた２枚の支持板のうち、１枚の支持板に基盤の上面を基準とした正方形の窓を設け、その窓に正方形で板状の弾性体をはめ、その弾性体の側面の中央と、２枚の支持板に挟まれた扁平で円形の柄の先端の円心と、その先端を挟んで対向する支持板とを貫通した穴をあけ、ボルトを通し支軸とし、蝶ナットを取り付け、清掃ヘッドと柄を接続した「請求項１」に記載の浴槽の清掃具、
【請求項３】
清掃ヘッドの基盤の上面に接続部を介して柄を取り付け、基盤の下面には清掃体を取り付けた浴槽の清掃具であって、
清掃ヘッドの基盤の上面の中央部に、柄の長手方向に向かって、垂直で平行に１枚の支持板を設け清掃ヘッドと柄の接続部とし、扁平で半円形の二股に分かれた柄の先端で支持板を挟み、柄の先端の両側に正方形の板状の弾性体を添え、双方の弾性体の側面の中央と、支持板を挟んだ扁平で半円形の柄の先端の円心と、支持板とを貫通した穴をあけ、ボルトを通し支軸とし、蝶ナットを取り付け、清掃ヘッドと柄を接続した浴槽の清掃具。
【請求項４】
前記の清掃ヘッドは、柄に対して接続部のボルトを支軸とし、構造として可能な範囲内で自由に回転することができ、
さらに、その清掃ヘッドの柄に対する回転は、支軸であるボルトに取り付けた蝶ナットを「締める」、あるいは「弛める」こと、すなわち、蝶ナットの「締付け」の加減により制御することができる「請求項１〜３」のいずれかに記載の浴槽の清掃具。
【発明の詳細な説明】
【技術分野】
【０００１】  当発明は、浴槽の清掃具に関するものである。
【背景技術】
【０００２】  浴槽の清掃具には、清掃ヘッドに取り付けた柄の短いもの、長いもの、伸縮できるもの等があり、また、清掃ヘッドと柄の角度を固定して取り付けたもの、複数の角度に固定できるもの、複数の角度に段階的に変化できるもの、一定の範囲内で自由に角度が変化できるもの、自由に角度が変化できるもの等が考案された。
【先行技術文献】
【特許文献】
【０００３】
【特許文献１】特許３１４３６１８号  清掃ヘッドと柄の角度が、一定の範囲内で自由に変化できるもの。
【非特許文献】
【０００４】
【非特許文献１】特開Ｈ０８−１０７８７３号  清掃ヘッドが柄に対して、前後、左右、全方向に自由に回転できるもの。
【発明の概要】
【発明が解決しようとするための課題】
【０００５】  浴槽用の柄の短い清掃具は、清掃面に対して強い力を加えやすく効果的な清掃ができるが反面、腰を屈めたり腕を伸ばしたり、体の大きな運動が必要になることがある。
【０００６】  柄の長い清掃具で、清掃ヘッドと柄の角度を固定したものは、清掃体の下面を被清掃面や角度に合わすため、腕や体を大きく動かす必要があることがある、この難点は、段階的に角度を変化させる場合にも解消されないことがある。その上、長い柄の清掃具においては、一般的には、被清掃面と力を加える柄の取っ手との間に長い距離があるため、被清掃面に効果的に大きな力を加えることが難しいことがある。
【０００７】  清掃ヘッドと柄の角度の変化を、一定の範囲内で、あるいは全面的に自由とした場合は、柄に対する清掃ヘッドの慣性力や、重力によって起こる不測の揺動が、清掃作業の妨げになることがある。
【０００８】  浴槽の清掃具の清掃体はその材質によっては、使用の回数が増えると、摩耗による片減りが起こり、その寿命を短くすることがある。
【０００９】  以上の、各段落に記載の問題点を要約すると、
１  浴槽の清掃に際し、腕や体などの大きな動きを避け、体の負担を少なくするこ          と、力を効率よく使い清掃の効果をあげること。
２  被清掃体の被清掃面に対し、清掃ヘッドが最適の角度で密着し、他の被清掃面          への移動、それに伴う角度の変化などに、容易に問題なく対応できること。
３  特定の条件の下で発生し、清掃作業の妨げとなる柄に対しての清掃ヘッドの不          測の揺動を防ぐこと。
４  清掃体の片減り防止策を講じることなどとなる。
【問題を解決するための手段】
【００１０】  当発明の浴槽の清掃具にあっては、問題を解決するための手段として、清掃作業に際して、清掃ヘッドが柄に対して自由に回転して被清掃面に密着でき、その際に起こりうる柄に対する清掃ヘッドの不測の揺動を、ゴムなどの弾性体の弾力を利用して防ぐことを主たる目的とするものであり、
清掃ヘッドの基盤の上面に接続部を介して柄を取り付け、基盤の下面には清掃体を取り付けた浴槽の清掃具であって、
【００１１】「請求項１」にあっては、清掃ヘッドの基盤の上面の中央部に、柄の長手方向に向かって、垂直で平行に２枚の同型の支持板を立ち上げて清掃ヘッドと柄の接続部を設け、双方の支持板の側面の中央部に、基盤の上面を基準にした正方形の窓を設け、双方の窓に正方形で板状の弾性体をはめ、その２枚の弾性体の間に、扁平で円形の柄の先端を挟み、双方の弾性体の側面の中央と、扁平で円形の柄の先端の円心を貫通した穴をあけ、ボルトを通し支軸とし、蝶ナットを取り付け、清掃ヘッドと柄を接続して浴槽の清掃具を作る。
【００１２】  「請求項２」にあっては、使用する弾性体を１枚とし、清掃具の軽量化と，コストの削減を図るものであり、上記の２枚の支持板のうち１枚に、基盤の上面を基準にした正方形の窓を設け、その窓にはめた正方形で板状の弾性体の側面の中央と、２枚の支持板に挟まれた扁平で円形の柄の先端の円心と、対向する支持板とを貫通した穴をあけ、ボルトを通し支軸とし、蝶ナットを取り付け，清掃ヘッドと柄を接続した浴槽の清掃具を作る。
【００１３】  「請求項３」にあっては、清掃ヘッドの基盤の上面の中央部に、柄の長手方向に向かって，垂直で平行に１枚の支持板を設け清掃ヘッドと柄の接続部とし、扁平で半円形の二股に分かれた柄の先端で支持板を挟み、その柄の先端の両側に正方形で板状の弾性体を添え，双方の弾性体の側面の中央と、支持板と、支持板を挟んだ柄の先端の半円形の円心とを貫通した穴をあけ、ボルトを通し支軸とし、蝶ナットを取り付け、清掃ヘッドと柄を接続した浴槽の清掃具を作る。
【００１４】  前記の清掃ヘッドの基盤の下面に取り付ける清掃体は、各種スポンジの積層体、もしくは、さらに不織布を加えた積層体とする。
【００１５】  前記の清掃ヘッドと、柄との接続部に使用する弾性体は、硬さ６０程度のクロロプレンゴム（ＣＲ）を使用することができ、天然ゴムを含めその他の合成ゴム、もしくは、その他の弾性体を使用するともできる。
【００１６】  前記に記載の浴槽の清掃具の清掃ヘッドは、柄に対して接続部のボルトを支軸としていて、構造として可能な範囲内で自由に回転することができ、
その清掃ヘッドは、腕や体を大きく動かさなくても、多くの被清掃面や角度に容易に対応でき、浴槽の清掃に際しては、浴槽の底、側面、縁などに密着して清掃作業を行うことができ、
しかも、柄と清掃ヘッドの角度を大きくすれば（清掃ヘッドが滑動する範囲内で９０度に近づければ）、被清掃面に大きい力を加えることができ、有効な清掃作業を行うことができる。
【００１７】  しかしながら、前記の清掃ヘッドが柄に対して全く抵抗なく自由に回転すると、異なる被清掃面への移動や角度の変化に際して、清掃ヘッドが慣性力や、重力によって、柄に対して角度の定まらぬ動き、すなわち、不測の揺動を起こし、清掃作業の妨げとなることがある。
この清掃ヘッドの不測の揺動を防ぐため、清掃ヘッドと柄の接続部に装着され、清掃ヘッドの支軸となるボルトと蝶ナットの「締め付け」の加減によって、柄の先端に装着された弾性体の板と、柄の先端に加わる圧力と、相互の摩擦を調整し、柄に対する清掃ヘッドの回転を制御し、その不測の揺動を抑制し、円滑な清掃作業を行うことができる。
【００１８】  浴槽の清掃具は、清掃体の材質によっては、使用回数が増えるに従い清掃体が不均等な摩耗、すなわち、片減りを起こし清掃体の寿命を短くすることがある。
当発明の前記の清掃具は、清掃作業に際して清掃ヘッドを回転させれば、その浴槽の清掃具の構造と相俟って、清掃ヘッドを逆転することができ、その清掃体の先端の方向も逆となり、清掃体の片減りを押さえその寿命を延ばすことができる。
【発明の効果】
【００１９】  当発明の浴槽の清掃具によれば、清掃ヘッドの異なった被清掃面や、異なった角度への制御された自由な移動により、腕や体の大きい動きがなくて、浴槽の多くの被清掃面や角度に容易に対応でき、円滑な清掃作業を行うことができる。
その上、柄と清掃ヘッドの角度を大きくすれば（清掃ヘッドが活動する範囲内で９０°に近づければ）、多くの被清掃面についても、清掃ヘッドに強い力を加えることができ、有効な清掃作業を行うことができる。
さらに、上記の清掃具を使って清掃作業を行うに際に、清掃ヘッドを回転させれば、その構造と相俟って、清掃体の先端の向きを変えることができ、清掃体の片減りを押さえ、その寿命を延ばすことができる。
【発明を実施するための最良の形態】
【００２０】  当発明の浴槽の清掃具にあっては、清掃ヘッドの基盤の形と清掃体の形は自由な形を選ぶことできるが、当発明の「実施例１〜３」に於いては共に方形の形として説明する。
【実施例１】
【００２１】  以下、添付の図面を参考に、浴槽の清掃具５ａについて説明を行う。
当発明の浴槽の清掃具５ａは、清掃ヘッド６ａのプラスチックで成形した方形の基盤７ａの上面に、接続部２１ａを介して柄８ａを取り付け、その下面には、その方形の基盤７ａが方形の清掃体２２ａの中央に位置する形で方形の清掃体２２ａを取り付け（図２）、
柄８ａは、プラスチックで成形した扁平で円形の先端１１ａをもつ柄の先端部９ａと、それに繋がるプラスチック、又は軽金属のパイプと取っ手３３ａを取り付けた柄の末端部１０ａとから成り（図１）、
方形の基盤７ａの上面には、柄８ａを取り付けるため、方形の基盤７ａの成形に際し，柄８ａの長手方向に向かって，方形の基盤７ａの上面の中央部に、垂直で、平行に２枚の同形の支持板２３（ａ、ｂ）を立ち上げて設け（図３）、
その２枚の同形の支持板２３（ａ、ｂ）の側面の中央部に、方形の基盤７ａの成形に際し、その上面を基準とした正方形の窓２４（ａ、ｂ）を設け（図３）、その窓２４（ａ、ｂ）にはめた２枚の正方形のゴム（ＣＲ）板３０（ａ、ｂ）（図５）にて、柄の先端１１ａを挟み、その互いのゴム（ＣＲ）板３０（ａ、ｂ）の側面の中央と、扁平で円形の柄の先端１１ａの円心を貫通した穴をあけ，半ネジボルト３１ａを通し支軸とし、蝶ナット３２ａを取り付けて、清掃ヘッド６ａと柄８ａを接続し，浴槽の清掃具５ａを作る（図１）。【００２２】  清掃ヘッド６ａの方形の基盤７ａの下面に取り付ける方形の清掃体２２ａは、各種スポンジの積層体，もしくは、さらに不織布を加えた積層体とし、
方形の基盤７ａの下面に接着剤で接着しても良く，方形の基盤７ａの下面と方形の清掃体２２ａの上面の間にマジックテープ（登録商標）の仕組みを介して脱着自在に取り付けるか，又はその他の方法により取り替えできる様に取り付けても良い。【００２３】  清掃ヘッド６ａと柄８ａとの接続部２１ａで使用する弾性体は、素材の必要条件として、機械的強度、反発弾性、耐摩耗性、摩擦係数、圧縮永久歪み、対老化性、耐水性、比重などが問題であり，以上の諸特性の必要条件を備えたものに近いものとして、硬さ６０°程度のクロロプレンゴム（ＣＲ）（図５）を使用することができ、天然ゴムを含めその他の合成ゴム、もしくは、その他の弾性体を使用することもできる。【００２４】  上記の構造の浴槽の清掃具５ａにあっては、清掃ヘッド６ａは、柄８ａに対して接続部２１ａの半ネジボルト３１ａを支軸として、約１８０度の範囲内で回転することができ、  浴槽の清掃に際して、清掃ヘッド６ａは、体や腕の大きい動きを必要とせず、浴槽の多くの被清掃面や角度の変化に容易に対応でき、密着して移動することができ、円滑に清掃作業を行うことができる。
さらに、清掃ヘッド６ａと柄８ａの角度を大きくすれば（清掃ヘッドが滑動する範囲内で９０度に近づければ）、被清掃面に大きい力を加えることができ、特に柄８ａの取っ手３３ａから、長い距離にある浴槽の底面の清掃に対して効果がある。【００２５】  しかしながら、清掃ヘッド６ａの柄８ａに対する回転に対して、全く抵抗がない場合は、清掃ヘッド６ａが、異なった被清掃面、異なった角度に移る際、清掃ヘッド６ａは、その慣性力や、重力によって、柄８ａに対して角度の定まらぬ動き、すなわち、不測の揺動を起こし、清掃作業の支障となることがある。
上記の不具合を防ぐ対策として、清掃ヘッド６ａと柄８ａの接続部２１ａに装着され、清掃ヘッド６ａの支軸となる半ネジボルト３１ａと、蝶ナット３２ａ（図２）の「締付け」の加減によって、柄の先端１１ａを挟んだ２枚のゴム（ＣＲ）板３０（ａ、ｂ）と柄の先端１１ａに加わる圧力と、相互の摩擦を調整し、柄８ａに対する清掃ヘッド６ａの回転を制御し、不測の揺動を抑制し、円滑な清掃作業を行うことができる。【００２６】  一般の浴槽の清掃具にあっては、その使用回数が増えるに従い、清掃体が不均等な摩耗、すなわち、片減りを起こし清掃体の寿命を短くすることがある。
当発明の浴槽の清掃具５ａにあっては，柄８ａの接続部２１ａが、清掃ヘッド６ａの方形の基盤７ａの上面の中央にあり、清掃ヘッド６ａの方形の基盤７ａが、方形の清掃体２２ａの上面の中央に位置する形でその方形の清掃体２２ａが取り付けられていて、清掃ヘッド６ａは、その支軸である半ネジボルト３１ａの線に沿って線対称の形となり、清掃作業に際して，清掃ヘッド６ａを回転させれば、清掃ヘッド６ａが、被清掃面に対して同じ形で逆転し，方形の清掃体２２ａの先端の方向も逆となり、その方形の清掃体２２ａの片減りを押さえて、その寿命を延ばすことができる。
【実施例２】
【００２７】  以下、添付の図面を参考に、浴槽の清掃具５ｂ（図７）について説明を行う。
浴槽の清掃具５ｂは、浴槽の清掃具５ａの構造の一部を変更し、軽量化とコストの低減を図るものであり、すなわち、浴槽の清掃具５ｂにあっては、使用するゴム板を、ゴム（ＣＲ）板３０ｃ（図１１）の１枚とし、
清掃ヘッド６ｂの方形の基盤７ｂの上面に設けられた支持板２３（ｃ、ｄ）のうち、支持板２３ｃの中央部に方形の基盤７ｂの上面を基準にした正方形の窓２４ｃを設け、その窓に正方形のゴム（ＣＲ）板３０ｃをはめ、２枚の支持板２３（ｃ、ｄ）の間に、扁平で円形の柄の先端１１ｂを挟み、支持板２３ｃの窓２４ｃにはめた、正方形のゴム（ＣＲ）板３０ｃの側面の中央と、扁平で円形の柄の先端１１ｂの円心と、対向する支持板２３ｄとを貫通した穴をあけ、半ネジボルト３１ｂを通し支軸とし、蝶ナット３２ｂを取り付け（図８）、清掃ヘッド６ｂと柄８ｂと接続し、浴槽の清掃具５ｂを作る（図７）。【００２８】  浴槽の清掃具５ｂの製造工程と構造は、上記の段落「００２７」に記載の内容以外は、「実施例１」の段落「００２１」に記載の内容と同じであり、【００２９】  使用する方形の清掃体２２ｂと、その方形の基盤７ｂへの取り付け方法は、「実施例１」の段落「００２２」に記載の内容と同じであり、【００３０】  清掃ヘッド６ｂと柄の接続部２１ｂに使用するゴム（ＣＲ）板３０ｃについては、「実施例１」の段落「００２３」に記載の内容と同じであり、【００３１】  浴槽の清掃具５ｂの機能と効果は、「実施例１」の段落「００２４〜００２６」に記載の内容と同じである。
【実施例３】
【００３２】  以下、添付の図面を参考に、浴槽の清掃具５ｃ（図１３）について説明を行う。
浴槽の清掃具５ｃは、清掃ヘッド６ｃのプラスチックで形成された方形の基盤７ｃの上面に、接続部２１ｃを介して柄８ｃを取り付け、その下面には、その方形の基盤７ｃが方形の清掃体２２ｃの中央に位置する形で方形の清掃体２２ｃを取り付け、（図１４）、
柄８ｃは、プラスチックで成形した扁平で半円形の柄の先端１１ｃを持つ柄の先端部９ｃと、それに繋がるプラスチック、又は軽金属のパイプと取っ手３３ｃを取り付けた柄の末端部１０ｃとから成り（図１３）、
方形の基盤７ｃの上面には、柄８ｃを取り付けるため、方形の基盤７ｃの成形に際し、その上面の中央部に、柄８ｃの長手方向に向かって、垂直で、平行に１枚の支持板２３ｅを立ち上げて設け（図１６）、
その支持板２３ｅを挟んで柄８ｃを取り付けるため、柄の先端部９ｃを成形する際、扁平で半円形の柄の先端１１ｃが二股に分かれた形状とし（図１４）、その支持板２３ｅを挟んだ扁平で半円形の柄の先端１１ｃの両側に、それぞれ１枚の正方形のゴム（ＣＲ）板３０（ｄ、ｅ）を添え（図１４）、双方のゴム（ＣＲ）板３０（ｄ、ｅ）の側面の中央と、挟まれた支持板２３ｅと、支持板２３ｅを挟んだ扁平で半円形の柄の先端１１ｃの円心とを貫通した穴をあけ、半ネジボルト３１ｃを通し支軸とし、蝶ナット３２ｃを取り付けて清掃ヘッド６ｃと柄８ｃを接続し（図１４）、浴槽の清掃具５ｃを作る（図１３）。【００３３】  使用する方形の清掃体２２ｃと、その方形の基盤７ｃへの取り付け方法は、「実施例１」の段落「００２２」に記載の内容と同じであり、【００３４】  清掃ヘッド６ｃと柄８ｃの接続部２１ｃに使用するゴム（ＣＲ）板３０（ｄ、ｅ）については、「実施例１」の段落「００２３」に記載の内容と同じであり、【００３５】  浴槽の清掃具５ｃの機能と効果は、「実施例１」の段落「００２４〜００２６」に記載の内容と同じである。
【産業上の利用可能性】
【００３６】  当発明の浴槽の清掃具は、自動車の洗車などに使用することができる。
【図面の簡単な説明】
【００３７】    以下に記載の各図は、すべて模式図である。
【図１】  図１は、実施例１（以下同じ）の浴槽の清掃具の斜視図である。
【図２】  図２は、清掃ヘッドと柄の接続部の斜視図である。
【図３】  図３は、清掃ヘッドの基盤と支持板の斜視図である。
【図４】  図Ａは、柄の先端部の平面図である。図Ｂは、柄の先端部の側面図である。
【図５】  図５は、弾性体の斜視図である。
【図６】  図６は、半ネジボルト、ナットの平面図である。
【図７】  図７は、実施例２（以下同じ）の浴槽の清掃具の斜視図である。
【図８】  図８は、清掃ヘッドと柄の接続部の斜視図である。
【図９】  図９は、清掃ヘッドの基盤と支持板の斜視図である。
【図１０】  図Ａは、柄の先端部の平面図である。図Ｂは、柄の先端部の側面図である。
【図１１】  図１１は、弾性体の斜視図である。
【図１２】  図１２は、半ネジボルト、ナットの平面図である。
【図１３】  図１３は、実施例３（以下同じ）の浴槽の清掃具の斜視図である。
【図１４】  図１４は、清掃ヘッドと柄の接続部の斜視図である。
【図１５】  図１５は、清掃ヘッドの側面図である。
【図１６】  図１６は、清掃ヘッドの基盤と支持板の斜視図である。
【図１７】  図１７のＡは、柄の先端部の側面図である。図１７のＢは、柄の末端部の側面の部分図である。
【図１８】  図１８は、弾性体の斜視図である。
【図１９】  図１９は、半ネジボルト、ナットの斜視図である
【符号の説明】
【００３８】  ５ａ、５ｂ、５ｃ…浴槽の清掃具
６ａ、６ｂ、６ｃ…清掃ヘッド
７ａ、７ｂ、７ｃ…清掃ヘッドの基盤
８ａ、８ｂ、８ｃ…柄
９ａ、９ｂ、９ｃ…柄の先端部
１０ａ、１０ｂ、１０ｃ…柄の末端部
１１ａ、１１ｂ、１１ｃ…柄の先端
２１ａ、２１ｂ、２１ｃ…接続部（清掃ヘッドと柄の）
２２ａ、２２ｂ、２２ｃ…清掃体
２３ａ、２３ｂ、２３ｃ、２３ｄ、２３ｅ…支持板
２４ａ、２４ｂ、２４ｃ…  窓
３０ａ、３０ｂ、３０ｃ、３０ｄ、３０ｅ…ゴム（ＣＲ）板（弾性体）
３１ａ、３１ｂ、３１ｃ…半ネジボルト（支軸）
３２ａ、３２ｂ、３２ｃ…蝶ナット
３３ａ、３３ｂ、３３ｃ…取っ手
【図１】
2016198458.tif 000003
【図２】
2016198458.tif 000004
【図３】
2016198458.tif 000005
【図４】
2016198458.tif 000006
【図５】
2016198458.tif 000007
【図６】
2016198458.tif 000008
【図７】
2016198458.tif 000009
【図８】
2016198458.tif 000010
【図９】
2016198458.tif 000011
【図１０】
2016198458.tif 000012
【図１１】
2016198458.tif 000013
【図１２】
2016198458.tif 000014
【図１３】
2016198458.tif 000015
【図１４】
2016198458.tif 000016
【図１５】
2016198458.tif 000017
【図１６】
2016198458.tif 000018
【図１７】
2016198458.tif 000019
【図１８】
2016198458.tif 000020
【図１９】
2016198458.tif 000021